(57)【要約】【課題】多種の視力測定に共通に使用出来るものでありながら、装置大型化を招くことのない視力計を提供する。【解決手段】例えば通常視力測定スイッチ３７によりモード選択された際には、ＣＰＵ３０が、第１の視標板１２の移動駆動により、第１の視標１２Ａ〜１２Ｃ…、１２ａ〜１２ｃ…、明順応用視標（第１の視標）５０ａ、５０ｂのうち所定のものを測定光路Ｐ上に呈示するように制御する。また、例えば動体視力測定スイッチ３６によりモード選択された際には、ＣＰＵ３０が、視標板１２を移動駆動して開口部５１ａ、５１ｂを位置決めした後、第２の視標板２７を移動駆動して第２の視標２７ａ〜２７ｄの所定のものを測定光路Ｐ上に呈示するように制御する。こうして各部材を適宜組み合わせて用いることで、多種の視力測定を共通に実施しながらも装置構成がシンプルな視力計１が実現する。【選択図】  図２
2005027864.tif 000002
【特許請求の範囲】
【請求項１】
被検眼に対応する接眼開口への測定光路上に、第１及び第２の視標を各複数種のうちから選択的に呈示し得るように第１及び第２の視標板を前記測定光路に沿って、前記接眼開口側から順次配設し、前記第１の視標板に、前記接眼開口と前記第２の視標板との間で前記測定光路を開放するバイパス部を設け、
第１及び第２の測定モードを選択自在な入力手段を設け、
前記第１の視標板を移動駆動して所定の視標を前記測定光路上に呈示し得る、第１測定視力呈示手段を設け、
前記第２の視標板を移動駆動して所定の視標を前記測定光路上に呈示し得る、第２測定視力呈示手段を設け、
前記入力手段により前記第１の測定モードが選択された際には、前記第１測定視力呈示手段により前記第１の視標板を移動駆動して、所定の前記第１の視標を前記測定光路上に呈示するように制御する、第１の制御手段を設け、
前記入力手段により前記第２の測定モードが選択された際には、前記第１の視標板を移動させて前記バイパス部を前記測定光路上に位置決めすると共に、前記第２測定視力呈示手段により前記第２の視標板を移動駆動して、所定の前記第２の視標を前記測定光路上に呈示するように制御する、第２の制御手段を設けて構成した、ことを特徴とする視力計。
【請求項２】
前記第１の視標板と前記第２の視標板との間の測定光路上に、前記測定光路に沿って移動することにより前記接眼開口と前記第２の視標板との間の光学距離及び前記接眼開口側で観察される前記第２の視標の見かけ上の大きさを変化させることの出来る光学距離及び大きさ可変手段を配設して構成した請求項１に記載の視力計。
【請求項３】
前記第１の視標板と前記光学距離及び大きさ可変手段との間の前記測定光路上に配置され、前記光学距離及び大きさ可変手段を経由した光を左右の被検眼に対応するように分割し得る光分割手段を備えることを特徴とする請求項２に記載の視力計。
【請求項４】
前記測定光路上に呈示された第１の視標を背面から照明し得る第１の視標用照明手段と、前記光分割手段と前記光学距離及び大きさ可変手段との間の前記測定光路上に所定角度で配置されたハーフミラーと、を備え、
前記第１の視標用照明手段は、前記ハーフミラーの背面に配置された１個の光源からなることを特徴とする請求項３に記載の視力計。
【請求項５】
前記測定光路上に呈示された前記第１の視標の周辺を照明し得る周辺照明手段を設け、
前記周辺照明手段の明るさの調整手段を設けて構成した、請求項１に記載の視力計。
【請求項６】
前記第１の視標板の前記接眼開口側に配置され、前記測定光路上に呈示された第１の視標を前記接眼開口側から照明し得る第２の視標用照明手段及び前記測定光路上に呈示された第１の視標を背面から照明し得る第１の視標用照明手段を設けて構成した、請求項１に記載の視力計。
【請求項７】
前記第１の視標用照明手段又は前記第２の視標用照明手段の明るさを可変に調節し得る明るさ調節手段を設けて構成した、請求項６記載の視力計。
【発明の詳細な説明】
【０００１】
【発明の属する技術分野】
本発明は、通常視力、夜間視力、動体視力及び静止視力など種々の視力の測定に共通に用いることを可能にした視力計に関する。
【０００２】
【従来の技術】
従来、視力計では、接近する視標をどの時点で判別出来るかを測定する動体視力測定、並びに、視標の光学距離及び見かけ上の大きさを段階的に変化させ、どの位置で視標を認識出来るかを測定する静止視力測定が行われていた（例えば、特許文献１参照）。
【０００３】
上記特許文献１に記載の視力計は、複数の種類の視標或いは特定の視標を表示することが出来る視標表示手段、表示された視標を観察するための接眼部、表示された視標と接眼部との間を所定の光学距離にし、かつ視標を所定の見かけ上の大きさにするための光学系、及び接眼部と視標間の光学距離と見かけ上の大きさとを所定の速度で変化させる手段などを有している。当該視力計は、光学距離と見かけ上の大きさを段階的に変化させた場合の接眼部で観察される視標に基づいて静止視力を測定し、また光学距離が所定速度で連続的に変化するとき、接眼部で変化する倍率に応じて観察される視標に基づいて動体視力を測定するように構成されている。
【０００４】
【特許文献１】
特開平１１−１３７５１９号公報（図１、図２）
【０００５】
【発明が解決しようとする課題】
上記特許文献１に記載の視力計によると、動体視力及び静止視力を比較的簡単な構成により省スペースで測定することは出来る。しかし、例えばこれら動体視力及び静止視力に加えて、被検者から５ｍ先の視標の大きさを変えて測定する通常視力や、明順応させた後に暗順応される中で低輝度状態の視標を何秒で視認出来るかを測定する夜間視力などの測定も出来るように構成しようとすると、部品点数が増大して、装置の大型化を招く虞がある。
【０００６】
本発明は、上記した事情に鑑み、動体視力及び静止視力に加えて他種の視力測定にも共通に使用出来るものでありながら、部品点数の増加を最小限にとどめたシンプルな構成を有し、装置大型化を招くことのない視力計を提供することを目的とするものである。
【０００７】
【課題を解決するための手段】
即ち本発明のうち第１の発明は、被検眼（４ａ、４ｂ）に対応する接眼開口（３ａ、３ｂ）への測定光路（Ｐ）上に、第１及び第２の視標（５０ａ、５０ｂ、１２Ａ〜１２Ｃ…、１２ａ〜１２ｃ…、２７ａ〜２７ｄ）を各複数種のうちから選択的に呈示し得るように第１及び第２の視標板（１２、２７）を前記測定光路に沿って、前記接眼開口側から順次配設し、前記第１の視標板に、前記接眼開口と前記第２の視標板との間で前記測定光路を開放するバイパス部（５１ａ、５１ｂ）を設け、
第１及び第２の測定モードを選択自在な入力手段（３５〜３８）を設け、
前記第１の視標板（１２）を移動駆動して所定の視標を前記測定光路（Ｐ）上に呈示し得る、第１測定視力呈示手段（１７）を設け、
前記第２の視標板（２７）を移動駆動して所定の視標を前記測定光路（Ｐ）上に呈示し得る、第２測定視力呈示手段（２８）を設け、
前記入力手段（例えば３７、３８）により前記第１の測定モードが選択された際には、前記第１測定視力呈示手段（１７）により前記第１の視標板（１２）を移動駆動して、所定の前記第１の視標（５０ａ、５０ｂ、１２Ａ〜１２Ｃ…、１２ａ〜１２ｃ…）を前記測定光路（Ｐ）上に呈示するように制御する、第１の制御手段（３０）を設け、
前記入力手段（例えば３６、３５）により前記第２の測定モードが選択された際には、前記第１の視標板（１２）を移動駆動させて前記バイパス部（５１ａ、５１ｂ）を前記測定光路（Ｐ）上に位置決めすると共に、前記第２測定視力呈示手段（２８）により前記第２の視標板（２７）を移動駆動して、所定の前記第２の視標（２７ａ〜２７ｄ）を前記測定光路（Ｐ）上に呈示するように制御する、第２の制御手段（３０）を設けて構成される。
【０００８】
また本発明のうち第２の発明は、前記第１の視標板（１２）と前記第２の視標板（２７）との間の測定光路（Ｐ）上に、前記測定光路に沿って移動することにより前記接眼開口（３ａ、３ｂ）と前記第２の視標板（２７）との間の光学距離及び前記接眼開口（３ａ、３ｂ）側で観察される前記第２の視標（２７ａ〜２７ｄ）の見かけ上の大きさを変化させることの出来る光学距離及び大きさ可変手段（２６）を配設して構成される。
【０００９】
また本発明のうち第３の発明は、前記第１の視標板（１２）と前記光学距離及び大きさ可変手段（２６）との間の前記測定光路（Ｐ）上に配置され、前記光学距離及び大きさ可変手段（２６）を経由した光を左右の被検眼（４ａ、４ｂ）に対応するように分割し得る光分割手段（１８、１９）を備えて構成される。
【００１０】
また本発明のうち第４の発明は、前記測定光路（Ｐ）上に呈示された第１の視標（１２Ａ〜１２Ｃ…、１２ａ〜１２ｃ…）を背面から照明し得る第１の視標用照明手段（５３）と、前記光分割手段（１８、１９）と前記光学距離及び大きさ可変手段（２６）との間の前記測定光路（Ｐ）上に所定角度で配置されたハーフミラー（２０Ａ）と、を備え、
前記第１の視標用照明手段は、前記ハーフミラー（２０Ａ）の背面に配置された１個の光源（５３）から構成される。
【００１１】
また本発明のうち第５の発明は、前記測定光路（Ｐ）上に呈示された前記第１の視標（１２Ａ〜１２Ｃ…、１２ａ〜１２ｃ…）の周辺を照明し得る周辺照明手段（１０ａ）を設け、
前記周辺照明手段の明るさの調整手段（３９）を設けて構成される。
【００１２】
また本発明のうち第６の発明は、前記第１の視標板（１２）の前記接眼開口（３ａ、３ｂ）側に配置され、前記測定光路（Ｐ）上に呈示された第１の視標（１２Ａ〜１２Ｃ…、１２ａ〜１２ｃ…）を前記接眼開口側から照明し得る第２の視標用照明手段（５９、６１）及び前記測定光路（Ｐ）上に呈示された第１の視標を背面から照明し得る第１の視標用照明手段（２２、２４又は５３）を設けて構成される。
【００１３】
また本発明のうち第７の発明は、前記第１の視標用照明手段（２２、２４又は５３）又は前記第２の視標用照明手段（５９、６１）の明るさを可変に調節し得る明るさ調節手段（３９、６４）を設けて構成される。
【００１４】
【発明の効果】
以上説明したように本発明のうち第１の発明によると、入力手段（例えば３７）により第１の測定モードが選択された際に、第１の制御手段（３０）が第１の視標として例えば通常視力測定用の視標（１２Ａ〜１２Ｃ…、１２ａ〜１２ｃ…）のうち所定のものを測定光路（Ｐ）上に呈示するように制御すると、被検眼（４ａ、４ｂ）の通常視力の測定が出来るようになる。また、入力手段（例えば３８）により第１の測定モードが選択された際に、第１の制御手段（３０）が第１の視標として例えば明順応用視標（５０ａ、５０ｂ）を測定光路（Ｐ）上に呈示するように制御すると、例えば、所定時間の明順応を与えた後、暗順応の中で他の第１の視標（例えば１２Ａ〜１２Ｃ…、１２ａ〜１２ｃ…）を適宜変更することで、被検眼の夜間視力の測定が出来るようになる。
【００１５】
また、入力手段（例えば３６、３５）により第２の測定モードが選択された際に、第２の制御手段（３０）が、バイパス部（５１ａ、５１ｂ）を測定光路（Ｐ）上に位置決めすると共に、第２の視標（２７ａ〜２７ｄ）のうち所定のものを測定光路（Ｐ）上に呈示するように制御するので、例えば、その移動により接眼開口（３ａ、３ｂ）と第２の視標板（２７）間の光学距離及び接眼開口（３ａ、３ｂ）側で観察される第２の視標（２７ａ〜２７ｄ）の見かけ上の大きさを変化させ得る光学手段を設けることにより、被検眼（４ａ、４ｂ）の例えば動体視力や静止視力を測定することが可能になる。このように、動体視力及び静止視力と共に、通常視力などの他種の視力測定をも可能にするものでありながら、第１の視標板（１２）、第２の視標板（２７）等を適宜組み合わせて用いることで、部品点数を可及的に抑え、装置構成をシンプルにし、装置大型化を招くことのない視力計が実現する。
【００１６】
また本発明のうち第２の発明によると、第１の視標板（１２）と第２の視標板（２７）との間の測定光路（Ｐ）上に光学距離及び大きさ可変手段（２６）を配設したので、例えば、入力手段（例えば３６、３５）により第２の測定モードが選択された際に、第１の視標板（１２）を移動駆動してバイパス部（５１ａ、５１ｂ）を測定光路（Ｐ）上に位置決めした状態で、光学距離及び大きさ可変手段（２６）を選択的に移動駆動して接眼開口（３ａ、３ｂ）と第２の視標（２７ａ〜２７ｄ）間の光学距離及び接眼開口（３ａ、３ｂ）側で観察される視標の見かけ上の大きさを連続的に変化させ、或いは段階的に変化させることにより、動体視力や静止視力の測定が可能となる。
【００１７】
また本発明のうち第３の発明によると、第１の視標板（１２）と光学距離及び大きさ可変手段（２６）との間の測定光路（Ｐ）上に光分割手段（１８、１９）を備えるので、光学距離及び大きさ可変手段（２６）を経由した光を第１の視標板（１２）の手前で左右被検眼（４ａ、４ｂ）に対応するように分割してから、第１の視標板（１２）を通して入射開口（１３ａ、１３ｂ）に進入させることが出来る。
【００１８】
また本発明のうち第４の発明によると、１個の光源（５３）である第１の視標用照明手段の照明光を、ハーフミラー（２０Ａ）を透過させて光分割手段（１８、１９）で左右被検眼（４ａ、４ｂ）に対応するように光分割することにより、第１の視標（１２Ａ〜１２Ｃ…、１２ａ〜１２ｃ…）を左右被検眼に向けて効率よく照明することが出来る。このように、視標用照明光源が１個の光源からなることにより、当該光源及びそれに付随する部品点数も減少させ、装置構成の更なる簡略化に寄与することが出来る。
【００１９】
また本発明のうち第５の発明によると、周辺照明手段（１０ａ）と該周辺照明手段の明るさの調整手段（３９）とを設けたので、第１の視標（１２Ａ〜１２Ｃ…、１２ａ〜１２ｃ…）の周辺を周辺照明光源（１０ａ）で照明することにより、第１の視標とその周辺の見え方による被検者の違和感を防止して、視力測定をより正確にすることが出来る。
【００２０】
また本発明のうち第６の発明によると、呈示された第１の視標（１２Ａ〜１２Ｃ…、１２ａ〜１２ｃ…）を、接眼開口側から照明し得る第２の視標用照明手段（５９、６１）及び背面から照明し得る第１の視標用照明手段（２２、２４又は５３）を設けたので、第１及び第２の視標照明手段の明るさを適宜設定することにより、第１の視標（１２Ａ〜１２Ｃ…、１２ａ〜１２ｃ…）周囲のコントラストを小さくした際のコントラスト視力の測定を行なうことが出来る。この際、観察される第１の視標周囲のコントラストを小さくすると、被検者は、例えば夕方の薄暮の状態のように薄暗い状態（低コントラスト状態）で第１の視標を観察することになる。
【００２１】
また本発明のうち第７の発明によると、第１の視標用照明手段（２２、２４又は５３）又は第２の視標用照明手段（５９、６１）に対応する明るさ調節手段（３９）を設けたので、例えばコントラスト視力の測定時、明るさ調節手段（３９）により、第１の視標用照明手段又は第２の視標用照明手段の明るさを容易に調節することが出来、従って、コントラスト視力測定時の最適な状態を簡便に得ることが出来る。
【００２２】
なお、括弧内の番号等は、図面における対応する要素を示す便宜的なものであり、従って、本記述は図面上の記載に限定拘束されるものではない。
【００２３】
【発明の実施の形態】
図１は、本発明が適用される視力計の一例を示す図で、（ａ）は正面図、（ｂ）は側面図、図２は、本発明に係る視力計の第１の実施の形態における構成を示す図で、（ａ）は視力計の構成を概略的に示すブロック図、（ｂ）は図２（ａ）におけるＡ−Ａ矢視方向に見た状態で示す概略平面図、図３は、第１の視標板を示す正面図、図４は、第２の視標板を示す正面図である。また図５は、本発明に係る視力計の第２の実施の形態における構成を示す図で、（ａ）は視力計の構成を概略的に示すブロック図、（ｂ）は図５（ａ）におけるＢ−Ｂ矢視方向に見た状態で示す概略平面図、図６は、本発明に係る視力計の第３の実施の形態における構成を示す図で、（ａ）は視力計の構成を概略的に示すブロック図、（ｂ）は図６（ａ）におけるＣ−Ｃ矢視方向に見た状態で示す概略平面図である。
【００２４】
以下、本発明に係る視力計１を、第１ないし第３の実施の形態に沿って順に説明する。
【００２５】
＜第１の実施の形態＞
本発明が適用される視力計１は、図１（ａ）に示すように、箱状に形成された本体２を有しており、該本体２の正面に接眼部３が設けられ、かつ該本体２の側面には、同図（ｂ）に示すように、所定のスイッチを有する操作パネル５が設けられている。当該視力計１は、上記接眼部３と視標用照明光源６３（図２（ｂ）参照）との間の測定光路Ｐ上に設けられた視標（後に詳述する）を備え、呈示した視標に対する被検者の応答の正誤などに基づいて視力を測定するように構成されている。
【００２６】
また視力計１は、被検眼４ａ、４ｂ（図２（ｂ）参照）と所定の距離（例えば５ｍ）をあけて位置する視標の大きさを変えて測定する通常視力測定、明順応させた後に暗順応される中で低輝度状態の視標を何秒で視認出来るかを測定する夜間視力測定、一定速度で連続的に接近する視標をどの時点で判別出来るかを測定する動体視力測定、並びに、視標との光学距離及び見かけ上の大きさを段階的に変化させ、どの大きさの視標までを認識出来るかを測定する静止視力測定を行ない得るように構成されている。
【００２７】
接眼部３には、被検者が本体２の内部に設けられた視標（後述する第１の視標及び第２の視標）を観察出来るように、レンズ１５ａ、１５ｂが適時挿脱される双眼状の接眼開口３ａ、３ｂ（図１参照）が設けられている。レンズ１５ａ、１５ｂは、図３に示す第１の視標板１２上の第１の視標１２Ａ、１２Ｂ、１２Ｃ…、１２ａ、１２ｂ、１２ｃ…を使用して通常視力を測定する際に接眼開口３ａ、３ｂに挿入される。また、被検者による観察状態を良好にするために接眼部３の図１上方には、ガイド６に沿って伸縮するように暗幕７が設けられている。更に、接眼部３の同図下方には、被検者が視標を認識した際に応答するための応答スイッチ８Ａ、８Ｂが設けられている。これら応答スイッチ８Ａ、８Ｂは、図２等に示す応答スイッチ装置８を構成するものであり、応答スイッチ８Ａは、被検者が視標を認識した時点で押圧操作するもので、応答スイッチ８Ｂは、認識した視標のランドルト氏環の切れ目方向に応じて傾動操作する所謂ジョイスティック型のものである。当該応答スイッチ８Ｂは、本体部９ａと、本体部９ａに対して傾動操作されるスティック部９ｂと、を有している。本体部９ａの表面には、該本体部９ａ中央に立設された上記スティック部９ｂを中心とする上下・左右に、被検者に呈示される視標のランドルト氏環に対応する表示がなされている。なお、上記応答スイッチ装置８として、応答スイッチ８Ａ、８Ｂを一体型に構成したものも用いることが可能である。
【００２８】
上記本体２には、図２（ａ）下方に示す光学装置２ａと、同図（ａ）上方に示す制御装置２ｂとが内蔵されている。
【００２９】
光学装置２ａは、図２（ａ）、（ｂ）に示すように、接眼部３と視標用照明光源６３との間の測定光路Ｐ上に、接眼部３を有する反射ケース１３と、第１の視標板１２と、該視標板１２を回動させる例えばステッピングモータからなる第１の視標板回転用モータ１７と、ハーフミラー１８、１９と、全反射ミラー２０と、補正レンズ２５と、不図示のプリズム移動用モータの作動に基づき図２（ｂ）中の矢印Ｄ、Ｅ方向に移動させられるプリズム２６と、第２の視標板２７と、該視標板２７を回動させる例えばステッピングモータからなる第２の視標板回転用モータ２８と、視標板２７の背面に拡散板２９を介して配置された視標用照明光源６３と、を被検側（つまり接眼開口側）から順に備えている。上記ハーフミラー１８、１９の各背面には、拡散板２１、２３を介して視標用照明光源（第１の視標用照明手段）２２、２４がそれぞれ配置されている。なお、上記視標照明光源２２、２４、６３はいずれも、発光ダイオード（ＬＥＤ）から構成することが出来る。
【００３０】
また上述したように、第１の視標板回転用モータ１７及び第２の視標板回転用モータ２８はそれぞれステッピングモータから構成することが出来るが、その場合、所要のデューティ比で生成されたパルス信号を上記モータ１７、２８に所定のタイミングで供給することにより、第１の視標板１２、第２の視標板２７をそれぞれ所定方向に所定角度で回動させて停止させる制御を容易に実行することが出来る。
【００３１】
反射ケース１３は、被検者の左右の被検眼４ａ、４ｂにそれぞれ対向する位置に配置された一対の、例えば箱型形状や円筒形状を呈する中空部材１３Ａ、１３Ｂを有している。中空部材１３Ａは、軸方向における一端側に接眼開口３ａを有しており、他端側に、第１の視標板１２を介して視標用照明光源２２や視標用照明光源６３からの照明光を取り入れる入射開口１３ａを有している。また中空部材１３Ｂは、軸方向における一端側に接眼開口３ｂを有しており、他端側に、第１の視標板１２を介して視標用照明光源２２や視標用照明光源６３からの照明光を取り入れる入射開口１３ｂを有している。
【００３２】
中空部材１３Ａ、１３Ｂは、各一端側の接眼開口３ａ、３ｂの上方に、通常視力測定時に反射ケース１３内にて視標周辺を照明することの出来る周辺照明光源１０ａ（図２（ａ）参照）を有しており、それぞれの内壁には、周辺照明光源１０ａから受けた照明光を拡散させる拡散性の部材が設けられている。また、中空部材１３Ａ、１３Ｂの内部には、各一端側の接眼開口３ａ、３ｂの下方に位置するように、夜間視力測定時の明順応のための光源であるハロゲンランプ４９が配置されている。なお、図２（ａ）において、周辺照明光源１０ａは便宜上、中空部材１３Ｂ側のみを図示している。
【００３３】
周辺照明光源１０ａは、観察される視標の周辺（視標を中心とした視野角内）を照明することが出来るように、即ちレンズ１５ａ〜１５ｄを介して観察され得る入射開口１３ａ、１３ｂ外周の内壁１３ｃを照明することが出来るように、入射開口１３ａ、１３ｂと略々対向する位置に設けられている。また、視標用照明光源２２、２４、視標用照明光源６３、及び周辺照明光源１０ａには、例えば白色ＬＥＤを用いることが出来る。その場合、順方向電流に応じて輝度を細かく、かつ容易に調整することが出来るので、輝度むら防止を簡単に行なうことが出来るようになる。
【００３４】
中空部材１３Ａの接眼部３では、接眼開口３ａに位置したレンズ１５ａに対して進退することが出来るようにシャッタ１１ａが配置され、かつレンズ１５ａに隣接する位置に進退することが出来るようにレンズ１５ｃが配置されている。また、中空部材１３Ｂの接眼部３では、接眼開口３ｂに位置したレンズ１５ｂに対して進退することが出来るようにシャッタ１１ｂが配置され、かつレンズ１５ｂに隣接する位置に進退することが出来るようにレンズ１５ｄが配置されている。
【００３５】
上記シャッタ１１ａ、１１ｂは、接眼部３に近接した位置に配設されて、測定対象が右眼、左眼、両眼のいずれであるかに応じて測定光路Ｐ上に挿脱されるものであり、視標照明光源２２、２４等による照明を遮蔽し得る遮光性を有する適当な材料から構成されている。
【００３６】
また上記レンズ１５ａ〜１５ｄ及びシャッタ１１ａ、１１ｂは、測定光路Ｐに対しそれぞれが独立して挿脱され得るように、ソレノイド等からなるアクチュエータ４０（図２（ａ）参照）に連動連結されている。
【００３７】
上記第１の視標板１２は、図３に示すように、円板状に形成された例えば透過性のガラス材からなり、通常視力、夜間視力を測定する際に視標を呈示するように構成されている。当該第１の視標板１２上には、共通の回動中心１６を有しかつ直径の異なる２つの円周に沿って、多数の視標等が設けられている。
【００３８】
即ち、回動中心１６を中心とする内径側の円周上には、明順応用視標５０ａ、接眼部３と第２の視標板２７との間の測定光路Ｐを開放するための開口部（バイパス部）５１ａ、並びに、上下左右４方向のいずれかに切れ目を有するランドルト氏環である第１の視標１２Ａ、１２Ｂ、１２Ｃ…が順次配置されている。また、回動中心１６を中心とする外径側の円周上には、明順応用視標５０ｂ、接眼部３と第２の視標板２７との間の測定光路Ｐを開放するための開口部（バイパス部）５１ｂ、並びに、上下左右４方向のいずれかに切れ目を有するランドルト氏環である第１の視標１２ａ、１２ｂ、１２ｃ…が順次配置されている。なお、上記開口部５１ａ、５１ｂには、それぞれ透明部材が嵌め込まれていてもよい。
【００３９】
このように第１の視標板１２は、同心状の大小２つの円周上に、互いに対をなす明順応用視標５０ａ、５０ｂ、開口部５１ａ、５１ｂ、及び第１の視標１２Ａ、１２Ｂ、１２Ｃ…、１２ａ、１２ｂ、１２ｃ…を備えて、通常視力、夜間視力を測定する際に、これらのうち対応するもの同士を被検眼４ａ、４ｂの双方に対して同時に呈示出来るように構成されている。そして、上記２つの円周上の各部分を中空部材１３Ａ、１３Ｂの各入射開口１３ａ、１３ｂに正確に対向させ得るように、上記回動中心１６は、図２（ｂ）に示すように、中空部材１３Ａ、１３Ｂの全体の中心位置から所定距離だけずれるように設けられている。
【００４０】
なお、上記明順応用視標５０ａ、５０ｂは、夜間視力測定時に予め被検眼４ａ、４ｂに明順応を与えるその機能上、本実施形態において「明順応用視標」と称したが、第１の視標板１２の回動位置決め（移動駆動）によって接眼開口３ａ、３ｂに呈示される視標でもあることから、本発明においては、上記視標１２Ａ、１２Ｂ、１２Ｃ…、１２ａ、１２ｂ、１２ｃ…と共に第１の視標を構成するものとする。
【００４１】
上記回動中心１６は、第１の視標板１２を図３に示す矢印Ｅ、Ｆ方向に回動自在とするように、第１の視標板回転用モータ１７の回転軸（図２（ｂ）参照）に係合されている。そして、該モータ１７の所定方向への所定角度の回動により、明順応用視標５０ａ、開口部５１ａ及び視標１２Ａ〜１２Ｃ…、或いは、明順応用視標５０ｂ、開口部５１ｂ及び視標１２ａ〜１２ｃ…のうち選択されたものが、被検者により観察され得るように、反射ケース１３の入射開口１３ａ、１３ｂとそれぞれ対向する位置に配置される。なお、上記明順応用視標５０ａ、５０ｂ、及び第１の視標１２Ａ〜１２Ｃ…、１２ａ〜１２ｃ…は、例えばコーティング材により形成することが出来る。
【００４２】
上記第１の視標板１２は、第１の視標板回転用モータ１７の作動に基づいて、第１の回動位置と、第２の回動位置と、第３の回動位置とに回動出来るように構成されている。ここで、第１の回動位置とは、反射ケース１３の入射開口１３ａ、１３ｂを開放して接眼開口３ａ、３ｂから第２の視標２７ａ〜２７ｄを視認可能な状態にするための位置であり、図３における開口部５１ａ、５１ｂをそれぞれ反射ケース１３の入射開口１３ａ、１３ｂに対向させる位置である。また第２の回動位置とは、入射開口１３ａ、１３ｂを遮蔽するための位置であり、図３における明順応用視標（第１の視標）５０ａ、５０ｂをそれぞれ反射ケース１３の入射開口１３ａ、１３ｂに対向させて、第１の視標板１２側からの接眼開口３ａ、３ｂへの照明光を略々遮蔽し得る位置である。
【００４３】
更に第３の回動位置とは、視標用照明光源２２、２４（後述する第２の実施の形態では視標用照明光源５３）により照明される第１の視標１２Ａ〜１２Ｃ…、１２ａ〜１２ｃ…を接眼開口３ａ、３ｂから視認可能にするための回動位置であり、第１の視標１２Ａから矢印下方向に明順応用視標（第１の視標）５０ａの手前の視標までの範囲全体、即ち、視標板１２の略１回転に相当する角度範囲、図３における符号Ｒ１からＲＮまでの可動範囲を意味するものである。この際、第１の視標１２ａ〜明順応用視標（第１の視標）５０ｂ側における回動時の位置は、上記可動範囲Ｒ１〜ＲＮのいずれかに第１の視標１２Ａ〜１２Ｃ…が位置決めされた時点で自動的に決まる。以上のように第１の視標板１２は、第３の回動位置に至った際、可動範囲Ｒ１〜ＲＮにおいて適時回動、停止させられる。
【００４４】
またハーフミラー１８、１９は、入射角４５°かつ反射角４５°を維持するように測定光路Ｐ内に配置されて、視標用照明光源６３からの照明光の進路を被検者側に９０°変換する機能を有している。そしてハーフミラー１９は、全反射ミラー２０で反射した照明光を受け、その一部を入射開口１３ｂ側に反射すると共に、残りの光成分をハーフミラー１８側に透過させる。またハーフミラー１８は、ハーフミラー１９側から受けた照明光の一部を入射開口１３ａ側に反射する。
【００４５】
更に、上記ハーフミラー１８、１９は、必要時に点灯する視標照明光源２２、２４から拡散板２１、２３を介して背面に受ける照明光を透過させて、第１の視標板１２の背面に向かわせる。またハーフミラー１８、１９は、第１の視標板１２とプリズム２６との間の測定光路Ｐ上に、プリズム２６を経由した視標用照明光源６３からの照明光を左右の接眼開口３ａ、３ｂに対応して分割することの出来る光分割手段を構成している。このような光分割手段の存在により、プリズム２６を経由した照明光を第１の視標板１２の手前で左右に分割してから該第１の視標板１２を通して入射開口１３ａ、１３ｂに効率良く進入させることが出来る。
【００４６】
全反射ミラー２０は、視標用照明光源６３から第２の視標板２７を通過し、かつプリズム２６及び補正レンズ２５を経由して入射する照明光の進路を、ハーフミラー１８、１９に向けて９０°変換する。
【００４７】
またプリズム２６は、第１の視標板１２と第２の視標板２７との間の測定光路Ｐ上に配置されて、第１の視標板１２が第１の回動位置に位置決めされているとき、接眼開口３ａ、３ｂと第２の視標２７ａ〜２７ｄとの間の光学距離を変更するように、不図示のプリズム移動用モータの駆動で矢印Ｄ、Ｅ方向に移動させられる光学距離及び大きさ可変手段を構成している。
【００４８】
第２の視標板２７は、図４に示すように、円板状に形成された例えば透過性のガラス材からなり、動体視力、静止視力を測定する際に視標を呈示するものである。当該第２の視標板２７上には、回動中心３７を有しかつ１つの円周に沿って複数の視標、つまり、上下左右４方向のいずれかに切れ目を有するランドルト氏環である第２の視標２７ａ、２７ｂ、２７ｃ、２７ｄが等角度間隔で順次配置されている。なお、該第２の視標２７ａ〜２７ｄは、例えばコーティング材により形成することが出来る。
【００４９】
上記回動中心３７は、第２の視標板２７を図４に示す矢印Ｇ、Ｈ方向に回動自在とするように、視標板回転用モータ２８の回転軸（図２（ｂ）参照）に係合されている。そして、該モータ２８の所定方向への所定角度の回動により、第２の視標２７ａ〜２７ｄのうち選択されたものが、被検者により観察され得るように、第１の視標板１２の開口部５１ａ、５１ｂを通して、反射ケース１３の入射開口１３ａ、１３ｂとそれぞれ対向する位置に配置される。
【００５０】
従って、上記第２の視標板２７は、第１の視標板１２が開口部５１ａ、５１ｂを入射開口１３ａ、１３ｂに対向させる第１の回動位置に回動した際、視標用照明光源６３により照明されつつ第２の視標２７ａ〜２７ｄのいずれかを接眼開口３ａ、３ｂへの測定光路Ｐ上に位置し得るように回動させられる。
【００５１】
次いで、制御装置２ｂについて説明する。当該制御装置２ｂは、図２（ａ）上方に示すように、ＣＰＵ（中央処理演算装置）３０を有しており、該ＣＰＵ３０には、表示器３１、メモリ３２、クロック３３、アクチュエータ４０、周辺照明光源１０ａ、及び夜間視力測定の明順応中における被検眼のまぶたの状態を監視するランプ４２が接続されている。
【００５２】
またＣＰＵ３０には、インターフェース３４を介して、それぞれに視力測定を選択し得る、通常視力測定スイッチ３７、夜間視力測定スイッチ３８、動体視力測定スイッチ３６及び静止視力測定スイッチ３５が接続されている。更にＣＰＵ３０には、インターフェース３４を介して、輝度調整スイッチ３９、６４、応答スイッチ８Ａ、８Ｂ（図１参照）からなる応答スイッチ装置８、自動測定の進行を促す音声を出力する音声ガイダンス装置４１、視力変更スイッチ４３、選択眼スイッチ４４、ランドルト氏環の切れ目方向を切換え得る視標スイッチ４５、及びランプ４２の点灯感度を調節する感度調節スイッチ４６などが接続されている。
【００５３】
上記輝度調整スイッチ３９は、周辺照明光源１０ａ、視標用照明光源２２、２４及び視標用照明光源６３の点灯及び消灯を実行すると共に、これら各光源による照明の輝度をそれぞれに調整することが出来る。また上記輝度調整スイッチ６４は、夜間視力測定用照明光源であるハロゲンランプ４９の点灯及び消灯を実行すると共に、該ハロゲンランプ４９による照明の輝度を調整することが出来る。更に上記視力変更スイッチ４３は、所定の視力値に応じた第１の視標１２Ａ〜１２Ｃ…、１２ａ〜１２ｃ…、或いは第２の視標２７ａ〜２７ｄを選択することが出来、また選択眼スイッチ４４は、視力測定を左眼、右眼、又は両眼のいずれかに対応して選択することが出来る。
【００５４】
上記表示器３１、通常視力測定スイッチ３７、夜間視力測定スイッチ３８、動体視力測定スイッチ３６、静止視力測定スイッチ３５、輝度調整スイッチ３９、６４、音声ガイダンス装置４１、視力変更スイッチ４３、選択眼スイッチ４４、視標スイッチ４５、及び感度調節スイッチ４６は、図１（ｂ）に示した操作パネル５上の適当な位置に配設されている。
【００５５】
上記ＣＰＵ３０には、所定出力の電源（不図示）を介して、光学装置２ａに備えた視標用照明光源２２、２４、視標用照明光源６３、周辺照明光源１０ａ、第１の視標板回転用モータ１７、第２の視標板回転用モータ２８、及びアクチュエータ４０などが接続されている。アクチュエータ４０にはシャッタ１１ａ、１１ｂ、レンズ１５ａ〜１５ｄが個別に接続されており、当該アクチュエータ４０の選択的な作動により、これらシャッタ及びレンズを接眼開口３ａ、３ｂに対して適宜挿脱することが出来る。
【００５６】
なお、通常視力測定スイッチ３７、夜間視力測定スイッチ３８、動体視力測定スイッチ３６、及び静止視力測定スイッチ３５により、第１及び第２の測定モードを選択自在な入力手段が構成されている。
【００５７】
また、第１の視標板回転用モータ１７により、第１の視標板１２を上記第２の回動位置、第３の回動位置に回動（移動駆動）して、所定の視標を測定光路Ｐ上に呈示し得る第１測定視力呈示手段が構成されている。そしてＣＰＵ３０により、通常視力測定スイッチ３７又は夜間視力測定スイッチ３８が上記入力手段として操作されて第１の測定モード（通常視力測定モード、夜間視力測定モード）が選択された際には、第１の視標板回転用モータ１７により第１の視標板１２を上記第３の回動位置、第２の回動位置に適時回動（移動駆動）して、第１の視標１２Ａ〜１２Ｃ…、１２ａ〜１２ｃ…、明順応用視標（第１の視標）５０ａ、５０ｂのうち所定のものを測定光路Ｐ上に呈示するように制御する、第１の制御手段が構成されている。また、当該第１の制御手段は、輝度調整手段３９、６４を伴うことにより、夜間視力測定スイッチ３８が入力手段として操作されて、夜間視力測定モードが第１の測定モードとして選択された際、複数種の第１の視標のうち当該選択に対応する明順応用視標５０ａ、５０ｂを測定光路Ｐ上に位置決めすべく第１の視標板１２を第２の回動位置に回動させると共に、ハロゲンランプ４９を所定のタイミングで点灯させて消灯した後、視標用照明光源２２、２４及び周辺照明光源１０ａを比較的低輝度で点灯させる機能も有している。
【００５８】
一方、第２の視標板回転用モータ２８により、第２の視標板２７を回動させて所定の視標を測定光路Ｐ上に呈示し得る第２測定視力呈示手段が構成されている。そしてＣＰＵ３０により、動体視力測定スイッチ３６又は静止視力測定スイッチ３５が上記入力手段として操作されて第２の測定モード（動体視力測定モード、静止視力測定モード）が選択された際には、第１の視標板１２を回動（移動）させて開口部（バイパス部）５１ａ、５１ｂを測定光路Ｐ上に位置決めすると共に、第２の視標板回転用モータ２８により第２の視標板２７を移動駆動して、第２の視標２７ａ、２７ｂ、２７ｃ、２７ｄのうち所定のものを測定光路Ｐ上に呈示するように制御する、第２の制御手段が構成されている。また、当該第２の制御手段は、動体視力測定スイッチ３６又は静止視力測定スイッチ３５が入力手段として操作されて、動体視力測定モード又は静止視力測定モードが第２の測定モードとして選択された際、第１の視標板１２を回動させて開口部５１ａ、５１ｂを測定光路Ｐ上に位置決めした後、第２の視標板２７の回動に連動して、プリズム２６を移動、位置決めするように制御する機能も有している。
【００５９】
視力計１は、以上のような構成を有するので、例えば通常視力測定時には、第１の視標板１２を第３の回動位置に回動させその可動範囲Ｒ１〜ＲＮにおいて、第１の視標１２Ａ〜１２Ｃ…、１２ａ〜１２ｃ…を視標用照明光源２２、２４により背面から照明した形で、第１の視標板１２を回動させて第１の視標１２Ａ〜１２Ｃ…、１２ａ〜１２ｃ…を適時変更しつつ、被検眼４ａ、４ｂに対する通常視力測定を行なうことが出来る。
【００６０】
即ち、通常視力測定の開始に際して、入力手段である通常視力測定スイッチ３７が押下されて、通常視力測定モードが第１の測定モードとして選択されると、第１の制御手段としてのＣＰＵ３０が、電源（不図示）に所定信号を伝送することより、アクチュエータ４０が作動してシャッタ１１ａ、１１ｂを測定光路Ｐ上から適宜離脱させる。ここで、左眼視力を測定する際には、選択眼スイッチ４４が予め押下されることにより、上記通常視力測定スイッチ３７の押下時に左眼側のシャッタ１１ａが測定光路Ｐから離脱し、かつ右眼側のシャッタ１１ｂが測定光路Ｐ上に挿入されるようにセットされる。逆に、右眼視力を測定する際には、選択眼スイッチ４４が予め押下されることにより、右眼側のシャッタ１１ｂが測定光路Ｐから離脱し、かつ左眼側のシャッタ１１ａが測定光路Ｐ上に挿入されるようにセットされる。そして、第１の視標板回転用モータ１７に電力が供給され、該モータ１７の作動により第１の視標板１２が第３の回動位置に回動し、第１の視標板１２上の第１の視標１２Ａ〜１２Ｃ…、１２ａ〜１２ｃ…のうち、同一視力値に対応する例えば視標１２Ａ及び１２ａが、反射ケース１３の入射開口１３ａ、１３ｂに対向する位置に移動させられる。
【００６１】
引き続き、視力変更スイッチ４３が押下され、所定の視力値に応じた信号が入力されると、第１の制御手段としてのＣＰＵ３０が電源（不図示）に所定信号を伝送し、これにより、第１測定視力呈示手段である第１の視標板回転用モータ１７が作動して、第１の視標板１２を所定方向に所定角度回動させる。これにより、第３の回動位置での可動範囲Ｒ１〜ＲＮにおいて、上記入力された視力値に応じた第１の視標１２Ａ〜１２Ｃ…、１２ａ〜１２ｃ…のうち、同一の視力値に対応する一対の視標が入射開口１３ａ、１３ｂと対向する位置に移動させられる。この際、シャッタ１１ａ又は１１ｂから開放された所要の側の接眼開口３ａ又は３ｂ内に選択された第１の視標が呈示されると共に、視標照明光源２２又は２４の点灯により当該第１の視標がその裏面から照明される。
【００６２】
また、輝度調整スイッチ３９により輝度が適宜調整された形で周辺照明光源１０ａが点灯し、観察すべき第１の視標を中心とした視野角内を照明する。この状態で被検者は、被検眼４ａ又は４ｂにより第１の視標のランドルト氏環の切れ目を識別出来た時点で該切れ目の方向に応じて応答スイッチ８Ｂ（のスティック部９ｂ）を傾動操作する。これにより、被検者が認識した方向に応じた信号がＣＰＵ３０に伝送されるので、ＣＰＵ３０は、呈示した第１の視標に対する被検者の応答の正誤に基づいて通常視力を測定する。なお当該通常視力測定において、例えば、被検者がランドルト氏環の切れ目を識別出来ない場合には応答スイッチ８Ａを押圧操作させるようにして検査を進行させ、また視標呈示後の一定時間中に応答スイッチ８Ｂの操作がない場合には該視標は識別不可だったとみなして検査を進行させるように構成することも好ましい態様である。上記のように周辺照明光源１０ａが、反射ケース１３内における第１の視標の周辺を照明することにより、第１の視標とその周辺の見え方による被検者の違和感を防止することが出来、これにより視力測定をより正確に実施することが出来る。
【００６３】
一方、夜間視力を測定する際には、第１の視標板１２を第２の回動位置に位置決めして入射開口１３ａ、１３ｂを遮蔽した形で、ハロゲンランプ４９を点灯させて反射ケース１３内を照明し、接眼開口３ａ、３ｂを覗く被検眼４ａ、４ｂに所定時間の明順応を与える。更に、該所定時間の経過後、ハロゲンランプ４９を消灯すると共に、第１の視標板１２を第３の回動位置に回動させ、該第３の回動位置での可動範囲Ｒ１〜ＲＮにおいて第１の視標板１２を回動させ、第１の視標１２Ａ〜１２Ｃ…、１２ａ〜１２ｃ…を適時変更しつつ、該第１の視標を視標用照明光源２２、２４により照明し、これにより被検眼４ａ、４ｂの夜間視力を測定する。
【００６４】
即ち、夜間視力測定の開始に際して、入力手段である夜間視力測定スイッチ３８が押下されて、夜間視力測定モードが第１の測定モードとして選択されると、第１の制御手段としてのＣＰＵ３０が、電源（不図示）に所定信号を伝送することより、アクチュエータ４０が作動してシャッタ１１ａ、１１ｂを測定光路Ｐ上から適宜離脱させる。これにタイミングを合わせて、第１の視標板回転用モータ１７が所定方向に所定角度回動し、これにより第１の視標板１２が第２の回動位置に回動させられて明順応用視標（第１の視標）５０ａ、５０ｂがそれぞれ入射開口１３ａ、１３ｂに対向するように移動させられて、中空部材１３Ａ、１３Ｂ内が遮蔽される。そして、被検者がシャッタ１１ａ又は１１ｂから開放された接眼開口３ａ又は３ｂを覗き込んだ状態で、夜間視力測定時の明順応のための照明であるハロゲンランプ４９が点灯して中空部材１３Ａ又は１３Ｂ内を所定時間照明し、被検者の被検眼４ａ又は４ｂには明順応を与える。
【００６５】
上記所定時間の経過後、第１の制御手段としてのＣＰＵ３０からの信号に基づき、ハロゲンランプ４９が消灯されると共に、視標板回転用モータ１７が作動させられて第１の視標板１２を第３の回動位置の所定の視標に回動させる。当該視標は、予め設定された視標、もしくは、検査開始時や明順応中に設定された視標のいずれでもよい。
【００６６】
被検者は、明順応の後のハロゲンランプ４９が消灯した暗闇状態で、被検眼４ａ又は４ｂにより第１の視標のランドルト氏環の切れ目を識別出来た時点で応答スイッチ８Ａを押圧操作すると共に、該切れ目の方向に応じて応答スイッチ８Ｂを傾動操作する。即ち、明順応後の被検眼４ａ、４ｂが略々暗闇状態で徐々に暗順応されるので、被検者は、視標照明光源２２、２４により低照度で照明される第１の視標を観察し、ランドルト氏環の切れ目を識別出来た時点で応答スイッチ８Ａ、８Ｂを操作することになる。これによりＣＰＵ３０は、クロック３３により、ハロゲンランプ４９の消灯からの経過時間を測定し、操作パネル５の表示器３１に該経過時間を表示し、上記経過時間から所定の特性曲線に基づき夜間視力を測定する。
【００６７】
また、動体視力を測定する際には、第１の視標板１２を第１の回動位置に位置決めして、開口部５１ａ、５１ｂを入射開口１３ａ、１３ｂ（即ち接眼開口３ａ、３ｂ）に対向させ、第２の視標板２７上の第２の視標２７ａ〜２７ｄを視標用照明光源６３により照明しつつ、光学距離及び大きさ可変手段であるプリズム２６を移動させて接眼開口３ａ、３ｂと第２の視標２７ａ〜２７ｄ間の光学距離及び当該視標の見かけ上の大きさを変更する。これにより、接眼開口３ａ、３ｂを覗く被検眼４ａ、４ｂに対する動体視力測定を行なうことが出来る。
【００６８】
即ち、動体視力測定の開始に際して、入力手段である動体視力測定スイッチ３６が押下されて、動体視力測定モードが第２の測定モードとして選択されると、第２の制御手段としてのＣＰＵ３０が、電源（不図示）に所定信号を伝送することより、アクチュエータ４０が作動してシャッタ１１ａ、１１ｂを測定光路Ｐ上から適宜離脱させる。これにタイミングを合わせて、第１の視標板回転用モータ１７が所定方向に所定角度回動させられ、該モータ１７の作動により第１の視標板１２が第１の回動位置に回動させられる。これにより、第１の視標板１２上の開口部（バイパス部）５１ａ、５１ｂが、反射ケース１３の入射開口１３ａ、１３ｂに対向する位置に移動させられて、接眼開口３ａ又は３ｂ側から、ハーフミラー１８又は１９、全反射ミラー２０、補正レンズ２５及びプリズム２６を介して、第２の視標板２７上の第２の視標２７ａ〜２７ｄを視認可能な状態となる。
【００６９】
この状態において、視力変更スイッチ４３が押下され、所定の視標に応じた信号が入力されると、ＣＰＵ３０が電源（不図示）に所定信号を伝送し、これにより、第２測定視力呈示手段である第２の視標板回転用モータ２８が作動して、第２の視標板２７を所定方向（図４の矢印Ｇ又はＨ方向）に所定角度回動させる。これにより、上記入力された視標に応じた第２の視標２７ａ〜２７ｄが接眼開口３ａ、３ｂ内に出現し、所定のタイミングで点灯する視標用照明光源６３によって照明される。
【００７０】
つまり、第２の視標２７ａ〜２７ｄを照明した視標用照明光源６３による照明光が、プリズム２６、補正レンズ２５を経由して全反射ミラー２０で９０°反射した後、ハーフミラー１８、１９で９０°反射して入射開口１３ａ、１３ｂから中空部材１３Ａ、１３Ｂ内に進入し、接眼開口３ａ、３ｂから被検眼４ａ、４ｂに達する。
【００７１】
そして、ＣＰＵ３０が所定信号を伝送すると、これに応答して不図示のプリズム移動用モータが作動し、プリズム２６を所定速度で、例えば矢印Ｄ→Ｅ方向に移動させる。この際、被検者は、接近するように見える第２の視標のランドルト氏環の切れ目を識別出来た時点で応答スイッチ８Ａを押圧操作すると共に、該切れ目の方向に応じて応答スイッチ８Ｂを傾動操作する。これにより、被検者が認識した方向に応じた信号がＣＰＵ３０に伝送される。ＣＰＵ３０は、該信号により応答の正誤を判定すると共に、クロック３３によりプリズム２６の移動開始からの経過時間を測定し、該経過時間からプリズム２６の位置を算出することにより、見かけ上の大きさに基づく動体視力値を演算し、これを測定結果とする。
【００７２】
また、静止視力を測定する際には、第１の視標板１２を第１の回動位置に回動させて開口部５１ａ、５１ｂを測定光路Ｐ上に位置決めした後、プリズム２６を移動、位置決め制御し、複数種の第２の視標２７ａ〜２７ｄのうち入力操作に対応する視標を測定光路Ｐ上に位置決めすべく第２の視標板２７を所定方向（図４の矢印Ｇ又はＨ方向）に所定角度回動させ、第２の視標２７ａ〜２７ｄを視標用照明光源６３により照明した状態で、被検眼４ａ、４ｂに対する静止視力測定を行なう。
【００７３】
即ち、静止視力測定の開始に際して、入力手段である静止視力測定スイッチ３５が押下されて、静止視力測定モードが第２の測定モードとして選択されると、第２の制御手段としてのＣＰＵ３０が、電源（不図示）に所定信号を伝送することより、アクチュエータ４０が作動してシャッタ１１ａ、１１ｂを測定光路Ｐ上から適宜離脱させる。これにタイミングを合わせて、第１の視標板回転用モータ１７が所定方向に所定角度回動させられ、該モータ１７の作動により第１の視標板１２が第１の回動位置に回動させられる。これにより、上述した動体視力測定時と同様に、開口部５１ａ、５１ｂが入射開口１３ａ、１３ｂと対向する位置に移動して、接眼開口３ａ又は３ｂ側から第２の視標２７ａ〜２７ｄを視認出来る状態となる。
【００７４】
上記静止視力測定では、或る特定の光学距離に位置する第２の視標板２７上の第２の視標２７ａ、２７ｂ、２７ｃ、２７ｄに対する視力を測定するのではなく、操作者の指示に応答させてプリズム２６を所定距離ずつ段階的に移動させて停止させることにより、光学距離及び第２の視標の見かけ上の大きさを段階的に変化させ、視力を測定する。
【００７５】
そして、上記第２の視標２７ａ〜２７ｄの視認可能状態で、視標スイッチ４５が押下され、所定の視標方向に応じた信号が入力されると、ＣＰＵ３０からの所定信号に応答して第２の視標板回転用モータ２８が作動し、第２の視標板２７を所定方向に所定角度回動させる。これにより、上記視標方向に応じた第２の視標が接眼開口３ａ、３ｂ内に出現し、所定のタイミングで点灯する視標用照明光源６３によって照明される。
【００７６】
被検者は、照明された第２の視標２７ａ〜２７ｄを観察し、ランドルト氏環の切れ目の方向が認識出来た時点で応答スイッチ８Ａを押圧操作すると共に、該切れ目の方向に応じて応答スイッチ８Ｂを傾動操作する。これにより、被検者が認識した方向に応じた信号がＣＰＵ３０に伝送されて、ＣＰＵ３０が表示器３１に正答である旨の表示をした場合、例えば現在の視標より一段階高い視力値になるようにプリズム２６を移動させ、光学距離及び見かけの大きさを変化させた上で、第２の視標を被検者に呈示し、上述した測定を繰り返す。一方、所定時間応答がない場合、または被検者が誤った方向に応答スイッチ８Ｂを傾動操作した場合、ＣＰＵ３０は、表示器３１に誤答である旨の表示をし、例えば現在の視標より一段階低い視力値になるようにプリズム２６を移動させ、光学距離及び見かけの大きさを変化させた上で、第２の視標を被検者に呈示し、上述した測定を繰り返す。そしてＣＰＵ３０は、正答した視力値のうちで最も高い視力値を被検者の視力として表示器３１に表示し、静止視力測定を終了する。
【００７７】
以上のように、本実施の形態によれば、動体視力及び静止視力に加えて、通常視力、夜間視力などの他の視力を測定することが出来るものでありながら、第１の視標板１２、第２の視標板２７、各照明光源２２、２４、６３、ハロゲンランプ４９、及びプリズム２６等を適宜組み合わせて用いることで部品点数を可及的に抑え、装置構成をシンプルにし、装置大型化を招くことのない視力計１を実現することが出来る。また、輝度調整手段３９により、周辺照明光源１０ａ及び視標用照明光源２２、２４、６３の各光量、つまり明るさを適宜調整することが出来るので、第１の視標１２Ａ〜１２Ｃ…、１２ａ〜１２ｃ…とその周辺の見え方による被検者の違和感を防止する、最適な状態を容易に得ることが出来る。
【００７８】
＜第２の実施の形態＞
次いで、本発明に係る第２の実施の形態について説明する。本実施の形態は、図５に示すように、先に述べた第１の実施形態に比し、ハーフミラー１８、１９の後方に配置していた視標用照明光源２２、２４の個数を減少させるように構成した点で異なるが、他の部分は同一なので、主要部分に同一符号を付してその説明を省略する。
【００７９】
即ち、本実施の形態では、第１の実施形態におけるハーフミラー１８に代えて、全反射ミラー１８Ａを同じ位置に同じ角度で配置すると共に、第１の実施形態における視標用照明光源２２、２４及び拡散板２１、２３を無くし、更に、全反射ミラー２０に代えてハーフミラー２０Ａを同じ位置に同じ角度で配置している。そして、当該ハーフミラー２０Ａの背面に、拡散板５２を介して視標用照明光源５３を１個のみ配置している。当該視標用照明光源５３は、第１の実施の形態における周辺照明光源１０ａ、視標用照明光源２２、２４及び視標用照明光源６３と同様に、輝度調整スイッチ３９の操作に基づいて点灯、消灯されると共に、その照明の輝度（明るさ）が調整される。
【００８０】
このような構成を有する本実施の形態では、１個の視標用照明光源５３の照明光が、拡散板５２、ハーフミラー２０Ａを透過してハーフミラー１９に、更に該ハーフミラー１９を透過して全反射ミラー１８Ａにそれぞれ導かれる。そして、これら全反射ミラー１８Ａ及びハーフミラー１９に導かれた照明光は、これらミラー１８Ａ、１９でそれぞれ９０°反射して中空部材１３Ａ、１３Ｂに進入し、測定光路Ｐに沿って進んで被検眼４ａ、４ｂに達することになる。
【００８１】
従って、本実施の形態の視力計１によると、第１の実施形態における少なくとも視標用照明光源２２、２４及び拡散板２１、２３の搭載を不要にして、第１の視標板１２の背面からの照明手段を、１個の視標照明光源５３及び拡散板５２によって実現することが出来る。このため、１個の視標照明光源５３を点灯させることにより、ハーフミラー２０Ａを透過した照明光を測定光路Ｐに沿ってミラー１８Ａ、１９に向かわせ、被検眼４ａ、４ｂの左右に対応するように光分割させてから当該被検眼４ａ、４ｂに対して第１の視標を効率よく照明出来るので、視標用照明光源５３及びこれに対応する拡散板５２の個数を各１個とし、部品点数をより減少させて装置構成の簡略化に寄与することが出来る。この場合、視標用照明光源５３に高輝度のＬＥＤを採用すれば、照明効率をより良好にすることが出来る。また、輝度調整手段３９により、周辺照明光源１０ａ及び視標用照明光源５３の各光量（つまり明るさ）を適宜調整出来るので、第１の視標１２Ａ〜１２Ｃ…、１２ａ〜１２ｃ…とその周辺の見え方による被検者の違和感を防止する最適な状態を容易に得ることが出来る。
【００８２】
＜第３の実施の形態＞
次いで、本発明に係る第３の実施の形態について説明する。本実施の形態は、図６に示すように、先に述べた第１の実施形態に比し、コントラスト視力（視標と背景照明のコントラストを小さくした際の視力）を測定することが出来るように構成した点で異なるが、他の部分は同一なので、主要部分に同一符号を付してその説明を省略する。
【００８３】
即ち、本実施の形態では、第１の実施形態の構成に加えて、反射ケース１３と第１の視標板１２との間の距離を広げた形で、両者間にコントラスト視力測定部２ｄを介在している。当該コントラスト視力測定部２ｄは、中空部材１３Ａ、１３Ｂと第１の視標板１２との間の測定光路Ｐ上にそれぞれ所定角度で配置されたハーフミラー５６、５７と、ハーフミラー５６の背面に所定角度で光照射出来るように拡散板５８を介して配置された例えばＬＥＤからなるコントラスト照明光源５９と、ハーフミラー５７の背面に所定角度で光照射出来るように拡散板６０を介して配置された例えばＬＥＤからなるコントラスト照明光源６１と、から構成されている。従って、コントラスト視力測定部２ｄによる照明は、拡散板５８、６０を介してハーフミラー５６、５７で反射され、入射開口１３ａ、１３ｂ側から第１の視標板１２上の第１の視標を照明することになる。
【００８４】
また、ＣＰＵ３０には、インターフェース３４を介してコントラスト視力スイッチ６２が接続されている。なお、本実施の形態において、輝度調整スイッチ３９は、周辺照明光源１０ａ、視標用照明光源２２、２４それぞれの輝度（照明光量）を調整する機能に加えて、コントラスト照明光源（第２の視標用照明手段）５９、６１の輝度を調整する機能をも備えている。
【００８５】
従って、本実施の形態における視力計１では、コントラスト視力測定を開始する場合、まず、コントラスト視力スイッチ６２を押下する。すると、ＣＰＵ３０が所定信号を伝送することにより、視標用照明光源２２、２４及び周辺照明光源１０ａが点灯し、観察すべき視標を中心とした視野角内が輝度を略均一にした形で照明される。
【００８６】
そして、ＣＰＵ３０からの所定信号に応答して、コントラスト照明光源５９、６１が点灯すると、当該照明光源５９、６１による照明が、拡散板５８、６０を介してハーフミラー５６、５７の反射により、測定光路Ｐ上において視標照明光源２２、２４による照明と重なり、第１の視標板１２上の第１の視標１２Ａ〜１２Ｃ、１２ａ〜１２ｃ…のいずれかと背景とがいずれも明るくなり、視標と背景照明との間のコントラストが小さくなる。
【００８７】
こうして、コントラスト照明光源５９、６１が第１の視標１２Ａ〜１２Ｃ…、１２ａ〜１２ｃ…をその前面側から輝度を可変にして照明することにより、コントラスト視力の測定時に、第１の視標と背景照明との間のコントラストを適宜変更して、より良好な測定結果を得ることが出来る。そして、視標用照明光源２２、２４（第２の実施形態では視標用照明光源５３）、視標用照明光源５９、６１の明るさを可変に調節し得る輝度調整手段３９を設けたので、コントラスト視力の測定時に、輝度調整手段３９により、視標用照明光源２２、２４、コントラスト照明光源５９、６１それぞれの明るさを適宜調節出来、従って、コントラスト視力測定時の最適な状態を容易に得ることが出来る。
【００８８】
なお、本実施の形態では、ハーフミラー５６、５７を測定光路Ｐ内に常時位置させるように構成したが、これに限らず、例えば測定光路Ｐ内に配置したハーフミラー５６、５７を不使用時には跳ね上げて測定光路Ｐから退避させるように構成し、或いは、常時は測定光路Ｐ外に配置しておき使用時にのみ測定光路Ｐ内に挿入するように構成することも出来る。
【００８９】
また、上述した第１ないし第３の実施の形態では、手動による視力測定について述べたが、これに限らず、例えば自動による測定、半自動による測定であっても、本発明を適用出来ることは勿論である。更に、上述した各実施の形態において、通常視力の一例として光学距離を５［ｍ］とした視力測定について説明したが、これに限らず、レンズ１５ａと１５ｃ、及びレンズ１５ｂと１５ｄの組み合わせを適宜選択調整すること等により、光学距離を５［ｍ］より短くした状態で視力測定することも出来る。
【図面の簡単な説明】
【図１】図１は、本発明が適用される視力計の一例を示す図で、（ａ）は正面図、（ｂ）は側面図である。
【図２】図２は、本発明に係る視力計の第１の実施の形態における構成を示す図で、（ａ）は視力計の構成を概略的に示すブロック図、（ｂ）は図２（ａ）におけるＡ−Ａ矢視方向に見た状態で示す概略平面図である。
【図３】図３は、第１の視標板を示す正面図である。
【図４】図４は、第２の視標板を示す正面図である。
【図５】図５は、本発明に係る視力計の第２の実施の形態における構成を示す図で、（ａ）は視力計の構成を概略的に示すブロック図、（ｂ）は図５（ａ）におけるＢ−Ｂ矢視方向に見た状態で示す概略平面図である。
【図６】図６は、本発明に係る視力計の第３の実施の形態における構成を示す図で、（ａ）は視力計の構成を概略的に示すブロック図、（ｂ）は図６（ａ）におけるＣ−Ｃ矢視方向に見た状態で示す概略平面図である。
【符号の説明】
１……視力計
３……接眼部
３ａ、３ｂ……接眼開口
４ａ、４ｂ……被検眼
１０ａ……周辺照明手段（周辺照明光源）
１２……第１の視標板
１２Ａ〜１２Ｃ、１２ａ〜１２ｃ……第１の視標
１３……反射ケース
１３ａ、１３ｂ……入射開口
１７……第１測定視力呈示手段（第１の視標板回転用モータ）
１８、１９……光分割手段（ハーフミラー）
２０……全反射ミラー
２０Ａ……ハーフミラー
２２、２４、５３……第１の視標用照明手段（視標用照明光源）
２６……光学距離及び大きさ可変手段（プリズム）
２７……第２の視標板
２７ａ〜２７ｄ…第２の視標
２８……第２測定視力呈示手段（第２の視標板回転用モータ）
３０……第１の制御手段、第２の制御手段（ＣＰＵ）
３５……入力手段（静止視力測定スイッチ）
３６……入力手段（動体視力測定スイッチ）
３７……入力手段（通常視力測定スイッチ）
３８……入力手段（夜間視力測定スイッチ）
３９……明るさの調整手段、調節手段（輝度調整手段）
４９……ハロゲンランプ
５０ａ、５０ｂ……第１の視標（明順応用視標）
５１ａ、５１ｂ……バイパス部（開口部）
５２……拡散板
５９、６１……第２の視標用照明手段（コントラスト照明光源）
６３……視標用照明光源
６４……輝度調整手段
Ｐ……測定光路
Ｒ１〜ＲＮ……可動範囲
【図１】
2005027864.tif 000003
【図２】
2005027864.tif 000004
【図３】
2005027864.tif 000005
【図４】
2005027864.tif 000006
【図５】
2005027864.tif 000007
【図６】
2005027864.tif 000008